(57)【要約】【課題】液晶表示装置の筐体内に実装される液晶表示パネルの端子形成部や、前記端子形成部のリード端子に電気的に接続されて搭載されたＩＣチップ等を、前記筐体との衝突による衝撃等から保護することができ、さらには、前記ＩＣチップの回路面に入射する光を遮光することができる積層構造を有する液晶表示装置を提供する。【解決手段】端子形成部７が形成された透明基板３側における液晶表示パネル２と筐体１１との間隙に、スペーサ部材１３の一端縁部分を前記端子形成部７と対向させるようにして当該スペーサ部材１３を配設する。【選択図】      図１
2005049562.tif 000002
【特許請求の範囲】
【請求項１】
液晶表示装置を構成する筐体内に、一対の透明基板間に液晶を封止してなり、一方の透明基板の一端縁部分が他方の透明基板の端縁より突出する端子形成部として形成された液晶表示パネルが、その表示領域を前記筐体の窓部に位置させて配設された液晶表示装置であって、
少なくとも前記端子形成部が形成された透明基板側における当該液晶表示パネルと筐体との間隙に、スペーサ部材の一端縁部分を前記端子形成部と対向させるようにして当該スペーサ部材を配設する積層構造を有することを特徴とする液晶表示装置。
【請求項２】
前記端子形成部には、当該端子形成部に形成されたリード端子と接続させてＩＣチップが搭載されており、前記スペーサ部材は、当該スペーサ部材の一端縁部分を、少なくとも当該透明基板における前記ＩＣチップが搭載された部位の裏面に対向させるようにして配設されている請求項１に記載の液晶表示装置。
【請求項３】
前記スペーサ部材には遮光性が付与されている請求項２に記載の液晶表示装置。
【請求項４】
前記スペーサ部材は、前記液晶表示パネルの表示領域を配置させる開口部が形成された枠状とされ、一端縁部分を前記液晶表示パネルの前記端子形成部に対向させて配設可能に延在させて形成されている請求項１乃至３の何れか１項に記載の液晶表示装置。
【発明の詳細な説明】
【０００１】
【発明の属する技術分野】
本発明は、筐体と液晶表示パネルとの間に緩衝材としてのスペーサ部材を配設する積層構造を採用した液晶表示装置に関する。
【０００２】
【従来の技術】
一対の透明基板間に液晶を封止してなり、前記一対の透明基板の所定の部分に選択的に電界を与えて特定の図形や文字等の情報を表示する液晶表示パネルが内蔵された液晶表示装置が、携帯電話やＰＤＡ（Ｐｅｒｓｏｎａｌ  Ｄｉｇｉｔａｌ  Ａｓｓｉｓｔａｎｔ）等の表示装置として多く用いられている。
【０００３】
このような液晶表示装置は、当該液晶表示装置の筐体内に、電気回路系等を組み込んだ液晶表示パネルを、その表示領域が前記筐体の窓部に位置するようにして配設させる構成とされており、一般に、前記液晶表示パネルの視認側における当該液晶表示パネルと筐体との間隙には、前記筐体の窓部から塵埃が侵入することを阻止したり、前記液晶表示パネルに働く外力を緩衝することを目的としてスペーサ部材を配設するモジュールの組立構造が採用されている。
【０００４】
図９は、従来の液晶表示装置１における要部断面図である。
【０００５】
この図に示す前記液晶表示パネル２は、互いに対向する面に図示しない透明電極が積層形成された一対の透明基板３，４を、この透明基板３，４の周辺部に塗布された図示しないシール材により一体に貼り合わせ、これら各透明基板３，４の間に図示しないギャップ材や液晶を注入密封した後、各透明基板３，４の外側部分に偏光板５，６を貼着することにより構成されている。
【０００６】
前記液晶表示パネル２は、一方の透明基板３の一端縁部分を他方の透明基板４の端縁より突出させて形成されており、この突出する部分の上面（当該液晶表示パネルにおいて内向する面）には、前記透明電極から引き出された多数のリード端子（図示せず）が所定ピッチで配列された端子形成部７とされている。
【０００７】
そして、前記液晶表示パネル２の端子形成部７のリード端子上には、液晶駆動用ＬＳＩなどのチップ部品としてのＩＣチップ８が、その回路面を前記リード端子と対向させるようにして搭載されている。そして、当該透明基板３における前記ＩＣチップ８を搭載した部位（以下、チップ搭載部という。）の裏面には、前記ＩＣチップ８の回路面に入射した光がＩＣチップに作用して誤動作を生じさせることを防止するための遮光テープ９が貼設されている。
【０００８】
また、前記端子形成部７のリード端子には、前記ＩＣチップ８に信号を供給するためのフレキシブル配線基板１０の一端部が電気的に接続されている。
【０００９】
なお、筐体内にはさらに、バックライト方式やフロントライト方式の図示しないライトユニットが組み込まれている。
【００１０】
このように構成された液晶表示パネル２を実装する液晶表示装置１の筐体１１は、例えば、金属等の剛性材料からなり、筐体１１の上面中央部には、当該液晶表示装置１の窓部となる矩形状の切欠き部１２が形成されている。
【００１１】
そして、前記液晶表示パネル２は、その表示領域が前記切欠き部１２に位置するようにして配置されており、前記液晶表示パネル２の視認側に位置することとなる透明基板３とこれに対向する筐体１１の内側表面との間には、剛性の大きい材料からなる筐体１１との接触により液晶表示パネル２が損傷を受けることを防止するとともに接着性を高めるために、例えばウレタンフォーム等のような緩衝性の大きい材料からなるスペーサ部材１３が配設されている。
【００１２】
【発明が解決しようとする課題】
ところで、従来における前記スペーサ部材１３は、図９に示すように、前記液晶表示パネル２の表示領域を配置させる開口部１４が形成された枠状とされ、前記液晶表示パネル２の前記端子形成部７を除いた前記一対の透明基板３，４が貼り合わされた領域と前記筐体１１の内側表面との間に配設されていた。
【００１３】
つまり、前記端子形成部７やこの端子形成部７のチップ搭載部に搭載されたＩＣチップ８などは、筐体１１内においては、何ら被覆されるなどして保護されておらず、露出状態となっていた。
【００１４】
しかしながら、前記端子形成部７は、前述したように１枚の透明基板３の突出部分であり、２枚の透明基板３，４を液晶を介して貼り合わせた前記表示領域と比べて、衝撃や筐体との接触等に対して脆弱であるため、他の部位と同様か、それ以上に保護することが望ましい。
【００１５】
特に、図９に示すように、前記液晶表示パネル２が、端子形成部７が形成された透明基板３を当該液晶表示装置１の視認側に位置するようにして筐体１１内に実装された場合、前記端子形成部７が前記筐体１１と近接するため、前記端子形成部７が前記筐体１１との接触により破損する可能性が高くなる。
【００１６】
また逆に、前記液晶表示パネル２が、端子形成部７が形成された透明基板３を当該液晶表示装置１の反視認側に位置するようにして筐体１１内に実装された場合、リード端子と電気的に接続させて搭載されたＩＣチップ８が前記筐体１１と近接するため、前記ＩＣチップ８が前記筐体１１との接触により破損する可能性が高くなる。
【００１７】
本発明はこれらの点に鑑みてなされたものであり、一方の透明基板の一端縁部分が他方の透明基板の端縁より突出する端子形成部として形成された液晶表示パネルの前記端子形成部や前記端子形成部のリード端子に電気的に接続されて搭載されたＩＣチップ等を筐体との衝突による衝撃等から保護することができ、さらには、前記ＩＣチップの回路面に入射する光を遮光することができる積層構造を有する液晶表示装置を提供することを目的とする。
【００１８】
【課題を解決するための手段】
前述した目的を達成するため、本発明の請求項１に記載した液晶表示装置は、液晶表示装置を構成する筐体内に、一対の透明基板間に液晶を封止してなり、一方の透明基板の一端縁部分が他方の透明基板の端縁より突出する端子形成部として形成された液晶表示パネルが、その表示領域を前記筐体の窓部に位置させて配設された液晶表示装置であって、少なくとも前記端子形成部が形成された透明基板側における当該液晶表示パネルと筐体との間隙に、スペーサ部材の一端縁部分を前記端子形成部と対向させるようにして当該スペーサ部材を配設する積層構造を有する。
【００１９】
本発明の液晶表示装置によれば、前記透明基板の端子形成部と対向させるようにして配設される前記スペーサ部材が、前記端子形成部と筐体の内側表面との接触を緩衝する緩衝材として作用することで、１枚の透明基板の突出部である端子形成部を破損から保護することができる。
【００２０】
また、請求項２に記載した液晶表示装置は、請求項１に記載の液晶表示装置において、前記端子形成部には、当該端子形成部に形成されたリード端子と接続させてＩＣチップが搭載されており、前記スペーサ部材は、当該スペーサ部材の一端縁部分を、少なくとも当該透明基板における前記ＩＣチップが搭載された部位の裏面に対向させるようにして配設されている。
【００２１】
本発明の液晶表示装置によれば、前記透明基板における前記ＩＣチップが搭載された部位の裏面に対向させるようにして配設される前記スペーサ部材が、前記ＩＣチップが搭載された前記端子形成部と筐体の内側表面との接触を緩衝する緩衝材として作用することで、前記ＩＣチップや１枚の透明基板の突出部である端子形成部を破損から保護することができる。
【００２２】
さらに、請求項３に記載した液晶表示装置は、請求項２に記載の液晶表示装置において、前記スペーサ部材には遮光性が付与されている。
【００２３】
本発明の液晶表示装置によれば、前記ＩＣチップの反搭載面側に配設され、遮光性が付与されたスペーサ部材が、緩衝材として作用して前記端子形成部を破損から保護すると共に、遮光部材としても作用して、前記ＩＣチップの回路面に入射する光を遮光することで、前記ＩＣチップの誤動作等を防止することができる。
【００２４】
そして、請求項４に記載した液晶表示装置は、請求項１乃至３の何れか１項に記載の液晶表示装置において、前記スペーサ部材は、前記液晶表示パネルの表示領域を配置させる開口部が形成された枠状とされ、一端縁部分を前記液晶表示パネルの前記端子形成部に対向させて配設可能に延在させて形成されている。
【００２５】
本発明の液晶表示装置によれば、前記形状とされたスペーサ部材を前記液晶表示パネルの視認側における当該液晶表示パネルと筐体との間隙に、前記開口部に前記液晶表示パネルの表示領域を配置させ、前記一端縁部分を前記液晶表示パネルの前記端子形成部に対向させて配設することで、簡単且つ確実に、前記スペーサ部材が前記端子形成部と筐体の内側表面との接触を緩衝する緩衝材として作用する構成とすることができ、１枚の透明基板の突出部分である端子形成部を保護することができる。また、前記スペーサ部材を前記液晶表示パネルの反視認側における当該液晶表示パネルと筐体との間隙に配設する場合においても、前記一端縁部分を前記液晶表示パネルの前記端子形成部に対向させて配設することで、簡単且つ確実に、前記スペーサ部材が前記端子形成部と筐体の内側表面との接触を緩衝する緩衝材として作用する構成とすることができ、１枚の透明基板の突出部分である端子形成部を保護することができる。
【００２６】
【発明の実施の形態】
以下、本発明を図面に示す実施形態により説明する。なお、以下では、既述の構成と同一の構成については、図面中に同一の符号を付し、その詳しい説明を一部省略する。
【００２７】
図１乃至図４は、端子形成部が形成された透明基板を液晶表示装置における視認側に位置させて、液晶表示パネルを筐体内部に実装する場合の各実施形態を示している。なお、図１乃至図４中には、筐体の底壁の図示を省略する。
【００２８】
図１は、本発明の液晶表示装置１の第１実施形態を示す要部断面図である。本実施形態の液晶表示装置１における液晶表示パネル２の端子形成部７には、図示しない透明電極から引き出された多数のリード端子（図示せず）が所定ピッチで配列されており、前記リード端子には、ＴＣＰ（Ｔａｐｅ  Ｃａｒｒｉｅｒ  Ｐａｃｋａｇｅ）やＣＯＦ（Ｃｈｉｐ  Ｏｎ  Ｆｉｌｍ  ）、またはＦＦＣ（Ｆｌｅｘｉｂｌｅ  Ｆｌａｔ  Ｃａｂｌｅ）やヒートシールなどのフレキシブル配線基板１０の一端部が電気的に接続されている。
【００２９】
そして、本実施形態の液晶表示装置１においては、前記端子形成部７が形成された透明基板３側における当該液晶表示パネル２と筐体１１との間、つまり、前記液晶表示パネル２の視認側における当該液晶表示パネル２と前記筐体１１（上壁内面）との間に、スペーサ部材１３が、その一端縁部分を前記透明基板３の端子形成部７と対向させるようにして配設されている。前記液晶表示パネル２の視認側に配設される前記スペーサ部材１３は、前記液晶表示パネル２の表示領域を配置させる開口部１４が形成された枠状とされ、一端縁部分が前記液晶表示パネル２の前記端子形成部７に対向させて配設可能に延在させて形成されている。
【００３０】
また、本実施形態の液晶表示装置１においては、前記液晶表示パネル２の反視認側における当該液晶表示パネル２と前記筐体１１（底壁内面）との間にも、スペーサ部材１３が、その一端縁部分を前記透明基板３の端子形成部７と対向させるようにして配設されている。
【００３１】
なお、本実施形態のように、前記端子形成部７が形成された透明基板３を当該液晶表示装置１における視認側に位置させる構成の液晶表示装置１においては、前記液晶表示パネル２の反視認側に配設されるスペーサ部材１３を省略することも可能である。例えば、実装するライトユニットの方式としてバックライト方式を採用する液晶表示装置１の場合には、前記液晶表示パネル２の反視認側、つまり、前記液晶表示パネル２の背面側には前記バックライト方式のライトユニットが配設されることとなるため、前記液晶表示パネル２の反視認側に配設されるスペーサ部材１３は省略する。
【００３２】
なお、前記スペーサ部材１３は、例えばウレタンフォーム、プラスチックフォーム、ゴムスポンジ等の発泡材のように、緩衝性の大きい材料からなるものが使用に適している（本発明の各実施形態において同じ。）。
【００３３】
そして、このようなモジュールの組立構造を有する液晶表示装置１によれば、その一端縁部分を前記透明基板３の端子形成部７と対向させるようにして、前記液晶表示パネル２の視認側における当該液晶表示パネル２と前記筐体１１（上壁内面）との間に配設された前記スペーサ部材１３が、前記端子形成部７と筐体１１（上壁内面）との接触を緩衝する緩衝材として作用することで、１枚の透明基板３の突出部である端子形成部７を破損から保護することができる。
【００３４】
また、前記液晶表示パネル２の反視認側における当該液晶表示パネル２と前記筐体１１（底壁内面）との間にも、その一端縁部分を前記透明基板３の端子形成部７と対向させるようにしてスペーサ部材１３を配設すれば、前記スペーサ部材１３が、前記端子形成部７と筐体１１（底壁内面）との接触を緩衝する緩衝材として作用することで、前記端子形成部７を、より確実に破損から保護することができる。
【００３５】
図２は、本発明の液晶表示装置１の第２実施形態を示す要部断面図である。本実施形態の液晶表示装置１における液晶表示パネル２の端子形成部７には、図示しない透明電極から引き出された多数のリード端子（図示せず）が所定ピッチで配列されており、前記リード端子上には、ＩＣチップ８が、その回路面を前記リード端子と対向させるようにして搭載されている。そして、当該透明基板３における前記チップ搭載部の裏面には、前記ＩＣチップ８の回路面に入射した光がＩＣチップ８に作用して誤動作を生じさせることを防止するための遮光テープ９が貼設されている。さらに、前記リード端子には、前記ＩＣチップ８に信号を供給するためのフレキシブル配線基板１０の一端部が電気的に接続されている。
【００３６】
そして、本実施形態の液晶表示装置１においては、前記端子形成部７が形成された透明基板３側における当該液晶表示パネル２と筐体１１との間、つまり、前記液晶表示パネル２の視認側における当該液晶表示パネル２と前記筐体１１（上壁内面）との間に、スペーサ部材１３が、その一端縁部分を前記透明基板３の端子形成部７において、少なくとも前記チップ搭載部の裏面（遮光テープ９の貼設部分）に対向するようにして配設されている。前記液晶表示パネル２の視認側に配設される前記スペーサ部材１３は、前記液晶表示パネル２の表示領域を配置させる開口部１４が形成された枠状とされ、一端縁部分が前記液晶表示パネル２の前記端子形成部７に対向させて配設可能に延在させて形成されている。
【００３７】
また、本実施形態の液晶表示装置１においては、前記液晶表示パネル２の反視認側における当該液晶表示パネル２と前記筐体１１（底壁内面）との間にも、スペーサ部材１３が、その一端縁部分を前記透明基板３の端子形成部７において、少なくとも前記チップ搭載部と対向させるようにして配設されている。
【００３８】
なお、本実施形態において、前記液晶表示パネル２の反視認側に配設されるスペーサ部材１３を省略する場合があることは、前記第１実施形態と同様であり、その説明を省略する。
【００３９】
そして、このようなモジュールの組立構造を有する液晶表示装置１によれば、その一端縁部分を前記透明基板３のチップ搭載部の裏面と対向させるようにして前記液晶表示パネル２の視認側における当該液晶表示パネル２と前記筐体１１（上壁内面）との間に配設された前記スペーサ部材１３が、前記ＩＣチップ８が搭載された前記端子形成部７と筐体１１（上壁内面）との接触を緩衝する緩衝材として作用することで、前記ＩＣチップ８や１枚の透明基板３の突出部である端子形成部７を破損から保護することができる。
【００４０】
また、前記液晶表示パネル２の反視認側における当該液晶表示パネル２と前記筐体１１（底壁内面）との間にも、その一端縁部分を前記透明基板３の端子形成部７と対向させるようにしてスペーサ部材１３を配設すれば、前記スペーサ部材１３が、前記端子形成部７やＩＣチップと筐体１１（底壁内面）との接触を緩衝する緩衝材として作用することで、前記端子形成部７やＩＣチップを、より確実に、破損から保護することができる。
【００４１】
図３は、本発明の液晶表示装置１の第３実施形態を示す要部断面図である。本実施形態の液晶表示装置１は、前記第２実施形態の液晶表示装置１の構成と略同一であり、前記チップ搭載部の裏面に貼設した遮光テープ９が省略され、前記液晶表示パネル２の視認側における当該液晶表示パネル２と前記筐体１１（上壁内面）との間に配設されるスペーサ部材１３に遮光性が付与されている点で異なる構成とされている。
【００４２】
つまり、本実施形態においては、前記スペーサ部材１３として、前述のように、緩衝性の大きい材料からなり、遮光性を付与すべく、暗色に着色されているものを使用する。
【００４３】
なお、本実施形態において、前記液晶表示パネル２の反視認側に配設されるスペーサ部材１３を省略する場合があることは、前述の各実施形態と同様である。
【００４４】
そして、このようなモジュールの組立構造を有する液晶表示装置１によれば、その一端縁部分を前記透明基板３のチップ搭載部の裏面と対向させるようにして、前記液晶表示パネル２の視認側における当該液晶表示パネル２と前記筐体１１（上壁内面）との間に配設されたスペーサ部材１３が、前記ＩＣチップ８が搭載された前記端子形成部７と筐体１１（上壁内面）との接触を緩衝する緩衝材として作用することで、前記ＩＣチップ８や１枚の透明基板３の突出部である端子形成部７を破損から保護することができる。
【００４５】
さらに、本実施形態においては、遮光性が付与されたスペーサ部材１３が、前記遮光テープ９の代わりに遮光部材として作用して、前記ＩＣチップの回路面に入射する光を遮光することで、前記ＩＣチップの誤動作等を防止することができる。また、液晶表示パネル２に遮光テープ９を貼設する工程を削除することができる。
【００４６】
また、前記液晶表示パネル２の反視認側における当該液晶表示パネル２と前記筐体１１（底壁内面）との間にも、その一端縁部分を前記透明基板３の端子形成部７と対向させるようにしてスペーサ部材１３を配設すれば、前記スペーサ部材１３が、前記端子形成部７やＩＣチップと筐体１１（底壁内面）との接触を緩衝する緩衝材として作用することで、前記端子形成部７やＩＣチップを、より確実に破損から保護することができる。
【００４７】
なお、本実施形態の液晶表示装置１においては、図４に示すように、前記液晶表示パネル２の視認側における当該液晶表示パネル２と前記筐体１１（上壁内面）との間に配設されたスペーサ部材１３の前記透明基板３の端子形成部７と対向する一端縁部分を、前記端子形成部７におけるチップ搭載部の裏面を被覆するように当該透明基板３に貼設させて、前記スペーサ部材１３の遮光部材としての作用を確実に発揮させうる構成とすることも可能である。その場合、前記スペーサ部材１３と前記端子形成部７のチップ搭載部の裏面とを接着させる接着剤として、例えば黒等、光を遮断する暗色系に着色された接着剤を用いることで、より確実に前記ＩＣチップの回路面に入射する光を遮光することができる。
【００４８】
また、図５乃至図８は、端子形成部７が形成された透明基板３を液晶表示装置１における反視認側に位置させて、液晶表示パネル２を筐体１１内部に実装する場合の各実施形態を示している。
【００４９】
図５は、本発明の液晶表示装置１の第４実施形態を示す要部断面図である。本実施形態の液晶表示装置１における液晶表示パネル２の端子形成部７には、図示しない透明電極から引き出された多数のリード端子（図示せず）が所定ピッチで配列されており、前記リード端子には、ＴＣＰ（Ｔａｐｅ  Ｃａｒｒｉｅｒ  Ｐａｃｋａｇｅ）やＣＯＦ（Ｃｈｉｐ  Ｏｎ  Ｆｉｌｍ  ）、またはＦＦＣ（Ｆｌｅｘｉｂｌｅ  Ｆｌａｔ  Ｃａｂｌｅ）やヒートシールなどのフレキシブル配線基板１０の一端部が電気的に接続されている。
【００５０】
そして、本実施形態の液晶表示装置１においては、前記端子形成部７が形成された透明基板３側における当該液晶表示パネル２と筐体１１との間、つまり、前記液晶表示パネル２の反視認側における当該液晶表示パネル２と前記筐体１１（底壁内面）との間に、スペーサ部材１３が、その一端縁部分を前記透明基板３の端子形成部７と対向させるようにして配設されている。
【００５１】
前記液晶表示パネル２の反視認側に配設される前記スペーサ部材１３は、一端縁部分が前記液晶表示パネル２の前記端子形成部７に対向させて配設可能に延在させて形成されている。なお、前記液晶表示パネル２の反視認側に配設される前記スペーサ部材１３として、既述の前記液晶表示パネル２の表示領域を配置させる開口部１４が形成された枠状のスペーサ部材１３を用いることも可能である。
【００５２】
また、本実施形態の液晶表示装置１においては、前記液晶表示パネル２の視認側における当該液晶表示パネル２と前記筐体１１（上壁内面）との間にも、前記液晶表示パネル２の表示領域を配置させる開口部１４が形成された枠状とされ、その一端縁部分が前記液晶表示パネル２の前記端子形成部７に対向させて配設可能に延在させて形成されたスペーサ部材１３が、前記一端縁部分を前記透明基板３の端子形成部７と対向させるようにして配設されている。
【００５３】
なお、本実施形態のように、前記端子形成部７が形成された透明基板３を当該液晶表示装置１における反視認側に位置させる構成の液晶表示装置１においては、前記液晶表示パネル２の視認側に配設されるスペーサ部材１３を省略することも可能である。
【００５４】
そして、このようなモジュールの組立構造を有する液晶表示装置１によれば、その一端縁部分を前記透明基板３の端子形成部７と対向させるようにして、前記液晶表示パネル２の反視認側における当該液晶表示パネル２と前記筐体１１（底壁内面）との間に配設された前記スペーサ部材１３が、前記端子形成部７と筐体１１（底壁内面）との接触を緩衝する緩衝材として作用することで、１枚の透明基板３の突出部である端子形成部７を破損から保護することができる。
【００５５】
また、前記液晶表示パネル２の視認側における当該液晶表示パネル２と前記筐体１１（上壁内面）との間にも、その一端縁部分を前記透明基板３の端子形成部７と対向させるようにしてスペーサ部材１３を配設すれば、前記スペーサ部材１３が、前記端子形成部７と筐体１１（上壁内面）との接触を緩衝する緩衝材として作用することで、前記端子形成部７を、より確実に、破損から保護することができる。
【００５６】
図６は、本発明の液晶表示装置１の第５実施形態を示す要部断面図である。本実施形態の液晶表示装置１における液晶表示パネル２の端子形成部７には、図示しない透明電極から引き出された多数のリード端子（図示せず）が所定ピッチで配列されており、前記リード端子上には、ＩＣチップ８が、その回路面を前記リード端子と対向させるようにして搭載されている。そして、当該透明基板３における前記チップ搭載部の裏面には、前記ＩＣチップ８の回路面に入射した光がＩＣチップに作用して誤動作を生じさせることを防止するための遮光テープ９が貼設されている。さらに、前記リード端子には、前記ＩＣチップ８に信号を供給するためのフレキシブル配線基板１０の一端部が電気的に接続されている。
【００５７】
そして、本実施形態の液晶表示装置１においては、前記端子形成部７が形成された透明基板３側における当該液晶表示パネル２と筐体１１との間、つまり、液晶表示パネル２の反視認側における当該液晶表示パネル２と前記筐体１１（底壁内面）との間に、スペーサ部材１３が、その一端縁部分を前記透明基板３の端子形成部７において、少なくとも前記チップ搭載部の裏面（遮光テープの貼設部分）に対向するようにして配設されている。
【００５８】
また、本実施形態の液晶表示装置１においては、前記液晶表示パネル２の視認側における当該液晶表示パネル２と前記筐体１１（上壁内面）との間にも、前記液晶表示パネル２の表示領域を配置させる開口部１４が形成された枠状とされ、その一端縁部分が前記液晶表示パネル２の前記端子形成部７に対向させて配設可能に延在させて形成されたスペーサ部材１３が、前記一端縁部分を前記透明基板３の端子形成部７と対向させるようにして配設されている。
【００５９】
なお、本実施形態において、前記液晶表示パネル２の視認側に配設されるスペーサ部材１３を省略する場合があることは、前記第４実施形態と同様である。
【００６０】
そして、このようなモジュールの組立構造を有する液晶表示装置１によれば、その一端縁部分を前記透明基板３のチップ搭載部の裏面と対向させるようにして、前記液晶表示パネル２の反視認側における当該液晶表示パネル２と前記筐体１１（底壁内面）との間に配設された前記スペーサ部材１３が、前記ＩＣチップが搭載された前記端子形成部７と筐体１１（底壁内面）との接触を緩衝する緩衝材として作用することで、前記ＩＣチップ８や１枚の透明基板３の突出部である端子形成部７を破損から保護することができる。
【００６１】
また、前記液晶表示パネル２の視認側における当該液晶表示パネル２と前記筐体１１（上壁内面）との間にも、その一端縁部分を前記透明基板３の端子形成部７と対向させるようにしてスペーサ部材１３を配設すれば、前記スペーサ部材１３が、前記端子形成部７やＩＣチップ８と筐体１１（上壁内面）との接触を緩衝する緩衝材として作用することで、前記端子形成部７やＩＣチップを、より確実に破損から保護することができる。
【００６２】
図７は、本発明の液晶表示装置１の第６実施形態を示す要部断面図である。本実施形態の液晶表示装置１は、前記第５実施形態の液晶表示装置１の構成と略同一であり、前記チップ搭載部の裏面に貼設した遮光テープ９が省略され、前記液晶表示パネル２の反視認側における当該液晶表示パネル２と前記筐体１１（底壁内面）との間に配設されるスペーサ部材１３に遮光性が付与されている点で異なる構成とされている。
【００６３】
つまり、本実施形態においては、前記スペーサ部材１３として、前述のように、緩衝性の大きい材料からなり、遮光性を付与すべく、暗色に着色されているものを使用する。
【００６４】
なお、本実施形態において、前記液晶表示パネル２の視認側に配設されるスペーサ部材１３を省略する場合があることは、前述の各実施形態と同様である。
【００６５】
そして、このようなモジュールの組立構造を有する液晶表示装置１によれば、その一端縁部分を前記透明基板３のチップ搭載部の裏面と対向させるようにして、前記液晶表示パネル２の反視認側における当該液晶表示パネル２と前記筐体１１（底壁内面）との間に配設されたスペーサ部材１３が、前記ＩＣチップ８が搭載された前記端子形成部７と筐体１１（底壁内面）との接触を緩衝する緩衝材として作用することで、前記ＩＣチップ８や１枚の透明基板３の突出部である端子形成部７を破損から保護することができる。
【００６６】
さらに、本実施形態においては、遮光性が付与されたスペーサ部材１３が、前記遮光シールの代わりに遮光部材として作用して、前記ＩＣチップの回路面に入射する光を遮光することで、前記ＩＣチップの誤動作等を防止することができる。
【００６７】
また、前記液晶表示パネル２の視認側における当該液晶表示パネル２と前記筐体１１（上壁内面）との間にも、その一端縁部分を前記透明基板３の端子形成部７と対向させるようにしてスペーサ部材１３を配設すれば、前記スペーサ部材１３が、前記端子形成部７やＩＣチップと、筐体１１の上壁内面との接触を緩衝する緩衝材として作用することで、前記端子形成部７やＩＣチップを、より確実に、破損から保護することができる。
【００６８】
なお、本実施形態の液晶表示装置１においては、図８に示すように、前記液晶表示パネル２の反視認側における当該液晶表示パネル２と前記筐体１１（底壁内面）との間に配設されたスペーサ部材１３の前記透明基板３の端子形成部７と対向する一端縁部分を、前記端子形成部７におけるチップ搭載部の裏面を被覆するように当該透明基板３に貼設させて、前記スペーサ部材１３の遮光部材としての作用を確実に発揮させうる構成とすることも可能である。その場合、前記スペーサ部材１３と前記端子形成部７のチップ搭載部の裏面とを接着させる接着剤として、例えば黒等の光を遮断する暗色系に着色された接着剤を用いることで、より確実に、前記ＩＣチップ８の回路面に入射する光を遮光することができる。
【００６９】
なお、本発明は、前記各実施形態に限定されるものではなく、必要に応じて種々変更することができる。
【００７０】
【発明の効果】
以上説明したように、本発明の液晶表示装置は、端子形成部や前記端子形成部のリード端子に電気的に接続されて搭載されたＩＣチップ等を、前記端子形成部と対向する一端縁部分が形成されたスペーサ部材により、筐体との衝突による衝撃等から保護することができ、さらには、前記スペーサ部材に遮光性を付与することにより、前記ＩＣチップの回路面に入射する光を遮光することができる等、極めて優れた効果を奏する。
【図面の簡単な説明】
【図１】本発明の第１実施形態における液晶表示装置の積層構造の要部を示す拡大断面図
【図２】本発明の第２実施形態における液晶表示装置の積層構造の要部を示す拡大断面図
【図３】本発明の第３実施形態における液晶表示装置の積層構造の要部を示す拡大断面図
【図４】前記第３実施形態の応用例である液晶表示装置の積層構造の要部を示す拡大断面図
【図５】本発明の第４実施形態における液晶表示装置の積層構造の要部を示す拡大断面図
【図６】本発明の第５実施形態における液晶表示装置の積層構造の要部を示す拡大断面図
【図７】本発明の第６実施形態における液晶表示装置の積層構造の要部を示す拡大断面図
【図８】前記第６実施形態の応用例である液晶表示装置の積層構造の要部を示す拡大断面図
【図９】従来の液晶表示装置の積層構造の要部を示す拡大断面図
【符号の説明】
１  液晶表示装置
２  液晶表示パネル
３，４  透明基板
５，６  偏光板
７  端子形成部
８  ＩＣチップ
９  遮光テープ
１０  フレキシブル配線基板
１１  筐体
１２  窓部
１３  スペーサ部材
１４  開口部
【図１】
2005049562.tif 000003
【図２】
2005049562.tif 000004
【図３】
2005049562.tif 000005
【図４】
2005049562.tif 000006
【図５】
2005049562.tif 000007
【図６】
2005049562.tif 000008
【図７】
2005049562.tif 000009
【図８】
2005049562.tif 000010
【図９】
2005049562.tif 000011